(57)【要約】【課題】屋上等に設けられる緑化システムにおいて、植物への給水性能に優れ、しかも、植栽部の高さ寸法を小さく抑えることができ、デッドスペースを生じさせることもない緑化システムを提供する。【解決手段】平板状の植栽ユニット２と、同じく平板状の歩行ユニット３とが敷き並べられて構成され、平板状歩行ユニット３は、透水性の歩行面３ｂの下部に、歩行面を通じて流れ落ちる水を貯める貯水タンク部としての貯水トレイ３ａを備えたものからなり、該平板状歩行ユニット３の貯水トレイ３ａ内から平板状植栽ユニット２にパイプ４等で給水されるようになされている。【選択図】      図１
2006094792.tif 000002
【特許請求の範囲】
【請求項１】
平板状の植栽ユニットと、同じく平板状の歩行ユニットとが敷き並べられて構成され、
平板状歩行ユニットは、透水性の歩行面の下部に、歩行面を通じて流れ落ちる水を貯める貯水タンク部を備えたものからなり、
該平板状歩行ユニットの貯水タンク部から平板状植栽ユニットに給水されるようになされていることを特徴とする屋上等の緑化システム。
【請求項２】
植栽部と歩行部とで構成され、
歩行部は、透水性の歩行面の下部に、歩行面を通じて流れ落ちる水を貯める貯水タンク部を備えたものからなり、
該歩行部の貯水タンク部から植栽部に給水されるようになされていることを特徴とする屋上等の緑化システム。
【発明の詳細な説明】
【技術分野】
【０００１】
本発明は、建物の屋上などに形成する緑化システムに関する。
【背景技術】
【０００２】
例えば建物の屋上に形成される緑化システムとして、従来より様々なものが提供されているが、屋上床面は自然の土でつくられてはいないので、雨による直接給水だけでは、植物にとって水不足になる場合があり、そのため、植栽部の下部に貯水タンクを備えさせて貯水したり、貯水タンクを植栽部に併設し、それらタンクから植物に給水されるようにしたものが提供されている。
【特許文献１】特開２０００−２４７９１４号公報
【発明の開示】
【発明が解決しようとする課題】
【０００３】
しかしながら、植栽部の下部に貯水部を設けて貯水する構造では、貯水部を含む植栽部の高さ寸法が大きくなってしまうという問題がある。
【０００４】
また、雨水集水タンクを植栽部に併設した構造では、タンクを設置するスペースが必要となり、タンク設置部分がデッドスペースになってしまうという問題がある。
【０００５】
本発明は、上記のような従来の問題点に鑑み、屋上等に設けられる緑化システムにおいて、植物への給水性能に優れ、しかも、植栽部の高さ寸法を小さく抑えることができ、デッドスペースを生じさせることもない緑化システムを提供することを課題とする。
【課題を解決するための手段】
【０００６】
上記の課題は、平板状の植栽ユニットと、同じく平板状の歩行ユニットとが敷き並べられて構成され、
平板状歩行ユニットは、透水性の歩行面の下部に、歩行面を通じて流れ落ちる水を貯める貯水タンク部を備えたものからなり、
該平板状歩行ユニットの貯水タンク部から平板状植栽ユニットに給水されるようになされていることを特徴とする屋上等の緑化システムによって解決される。
【０００７】
この緑化システムでは、植栽ユニットが、雨水等を受けて給水されるだけでなく、歩行ユニットが雨水等を受けてその下部の貯水ダンク部に貯水され、その水が植栽ユニットに給水されるようになされているので、植栽ユニットの植物に対する給水性能に優れる。
【０００８】
しかも、植栽ユニットと歩行ユニットとを組み合わせて、貯水タンク部を歩行ユニットに備えさせたものであるから、植栽ユニットの高さ寸法を小さく抑えることができる。また、歩行ユニットについても、植栽ユニットとは異なり、そもそも高さ寸法を小さく設定できる歩行ユニットに対して、貯水タンク部を備えさせているので、貯水タンク部を含む歩行ユニットの高さ寸法を小さく抑えることができる。こうして、全体として薄型の緑化システムを実現することができる。
【０００９】
加えて、貯水タンク部は歩行ユニットの歩行面の下部に備えられていて、貯水タンク部の上部は歩行面に構成されているので、貯水タンク部によってデッドスペースを生じることもなく、植栽ユニットと歩行ユニットとの組み合わせによっては、植栽ユニットへの接近が容易な使い勝手の良い緑化を実現することも可能になる。
【００１０】
更に、平板状の植栽ユニットと、平板状の歩行ユニットとを敷き並べて構成される緑化システムであるので、施工やメンテナンス、撤去等をユニット単位で行うことができて取扱いが容易であり、ユニットを単位とする組み合わせによって様々な緑化デザインを実現することができる。
【００１１】
また、上記の課題は、植栽部と歩行部とで構成され、
歩行部は、透水性の歩行面の下部に、歩行面を通じて流れ落ちる水を貯める貯水タンク部を備えたものからなり、
該歩行部の貯水タンク部から植栽部に給水されるようになされていることを特徴とする屋上等の緑化システムによっても解決される。
【００１２】
即ち、本発明の緑化システムでは、植栽部と歩行部がそれぞれユニット式に構成されている場合のほか、いずれか一方又は両方がユニット式に構成されていない場合も含む。また、歩行部は背高な貯水タンク部を備えていてもよいし、植栽部と歩行部との間に段差はあってもなくてもよい。
【発明の効果】
【００１３】
本発明の緑化システムは、以上のとおりのものであるから、屋上等に設けられるものでありながら、植物への給水性能に優れ、しかも、植栽部の高さ寸法を小さく抑えることができ、デッドスペースを生じさせることもなく、また、緑化部分と歩行部分との組み合わせ方によっては、使い勝手の良い緑化システムを構築することも可能になる。
【発明を実施するための最良の形態】
【００１４】
次に、本発明の実施最良形態を図面に基づいて説明する。
【００１５】
図１（イ）に示す実施形態の緑化システム１において、２は植栽ユニット、３は歩行ユニットである。植栽ユニット２は、図１（ロ）に示すように、正方形状のトレイ２ａに土壌、不織布等の培地材２ｂが入れられた平板状のもので、培地材２ｂに植物５が植えられている。なお、植栽トレイ２ａの底板部が、排水と保水のための形状部分を備えているのはいうまでもない。
【００１６】
一方、歩行ユニット３は、図１（ハ）に示すように、貯水タンク部を構成する正方形状のトレイ３ａの上部に、透水性を有する踏み板３ｂを付けた平板状のもので、踏み板３ｂそれ自体の透水性によって雨水等が下の貯水トレイ３ａ内に貯水されるようになされている。
【００１７】
そして、上記の植栽ユニット２と歩行ユニット３とは、同じ平面サイズに設定されていて、屋上などの床面において、図１（イ）に示すように、辺と辺を合わせるようにして隣り合わせ状態に敷き並べられ、歩行ユニット３の貯水トレイ３ａ内と植栽ユニット２の植栽トレイ２ａ内がパイプ４で連通されて、緑化システムを構成している。
【００１８】
植栽ユニット２と歩行ユニット３とは、図１（イ）に示すように、一つの歩行ユニット３の貯水トレイ３ａから一つの植栽ユニット２に給水されるように組み合わせてもよいが、図２（イ）に示すように、複数の植栽ユニット２，２を一つの歩行ユニット３の複数辺に隣り合わせて一つの歩行ユニット３の貯水トレイ３ａから複数の植栽ユニット２，２に給水されるようにしてもよい。また、図２（ロ）に示すように、植栽ユニット２を挟む一方の側に歩行ユニット３を組み合わせ、もう一方の側に植栽ユニット２を組み合わせ、前記一方の歩行ユニット３の貯水トレイ３ａから、パイプ４，４で、複数の植栽ユニット２，２に給水されるようにしてもよい。また、図２（ハ）に示すように、複数の歩行ユニット３，３を一つの植栽ユニット２の複数辺に隣り合わせて複数の歩行ユニット３，３の貯水トレイ３ａ，３ａから一つの植栽ユニット２に給水されるようにしてもよい。
【００１９】
また、一つの歩行ユニット３の貯水トレイ３ａから一つの植栽ユニット２に給水する組み合わせにおいて、図３（イ）に示すように、隣り合わせた複数の植栽ユニット２，２を挟む両側に歩行ユニット３，３を隣り合わせて、広幅の植栽部の両側に歩行部を形成するのもよいし、また、図３（ロ）に示すように、隣り合わせた複数の歩行ユニット３，３の両側に植栽ユニット２，２を隣り合わせて、両側から植栽部で挟まれた広幅の歩行部を形成するのもよい。
【００２０】
また、同じく一つの歩行ユニット３から一つの植栽ユニット２に給水する組み合わせにおいて、図４（イ）に示すように、植栽ユニット２…の列と歩行ユニット３…の列とを交互配置で隣り合わせたり、図４（ロ）に示すように、複数の植栽ユニット２…と複数の歩行ユニット３…とで市松模様状配置となるように隣り合わせるのもよい。また、一つの歩行ユニット３から一つの植栽ユニット２に給水する組み合わせと、一つの歩行ユニット３から複数の植栽ユニット２に給水する組み合わせとを組み合わせ、図４（ハ）に示すように、植栽ユニット２…を複数列組み合わせてその両側に歩行ユニット３…の列を組み合わせ、一方の歩行ユニット３…を挟む更にもう一方の側に植栽ユニット２…の列を隣り合わせるようにするのもよい。
【００２１】
また、図４（ニ）に示すように、歩行ユニット３を複数の植栽ユニット２…からなる植栽部内に点在させ、一つの歩行ユニット３の貯水トレイ３ａから周囲４つの植栽ユニット２…に給水する配置にするのもよい。
【００２２】
上記の緑化システムでは、雨が降ると、植栽ユニット２が、雨水を受けて給水されるだけでなく、歩行ユニット３も雨水を受けてその下部の貯水トレイ３ａ内に貯水され、その水がパイプ４を通じて植栽ユニット２のトレイ２ａ内に給水され、雨量が少ないときでも、植栽ユニット２の植物５に充分な量の水を供給することができ、高い給水性能を発揮することができる。ホースで散水する場合も同様である。
【００２３】
そして、植栽ユニット２と歩行ユニット３とを組み合わせて、歩行ユニット３に貯水トレイ３ａを備えさせたものであるから、植栽ユニット２の高さ寸法を小さく抑えることができ、歩行ユニット３についても、植栽ユニット２とは異なり、そもそも高さ寸法を小さく設定できる歩行ユニットに対して、貯水トレイ３ａを備えさせているので、貯水トレイ３ａと踏み板３ｂとを含む全体の高さ寸法を小さく抑えることができ、こうして、全体として薄型の緑化システム１を実現することができる。
【００２４】
しかも、貯水タンク部は、歩行ユニット３の踏み板３ｂの下部の貯水トレイ３ａで構成されていて、貯水トレイ３ａの上部に踏み板３ｂが備えられているので、貯水タンク部を備えさせることによってデッドスペースを生じてしまうこともなく、逆に、図１（イ）や図２〜図４に示すように、歩行ユニット３によって植栽ユニット２への接近が容易な使い勝手の良い緑化を実現することが可能である。
【００２５】
また、平板状の植栽ユニット２と、平板状の歩行ユニット３とを敷き並べて構成される緑化システム１であるので、施工やメンテナンス、撤去等をユニット単位で行うことができて取扱いが容易であり、ユニットを単位とする組み合わせによって上記のような様々な緑化デザインを実現することができる。
【００２６】
以上に、本発明の実施形態を示したが、本発明はこれに限られるものではなく、発明思想を逸脱しない範囲で各種の変更が可能である。例えば、上記の実施形態では、植栽ユニット２と歩行ユニット３とが、同じ平面サイズの平面視正方形状をしている場合を示したが、同じ平面サイズの平面視正六角形状をして蜂の巣状配置に組み合わされてもよいし、また、同じ平面サイズの平面視円形状をして隣り合わせ状態に配置されてもよいし、また、植栽ユニットと歩行ユニットとを互いに異なる平面サイズにしてもよいし、植栽ユニットとして平面サイズや平面形状の異なる複数種類のものが用いられてもよいし、歩行ユニットとして平面サイズや平面形状の異なる複数種類のものが用いられてもよく、植栽ユニット、歩行ユニットの平面形状、平面サイズに制限はない。
【００２７】
また、上記の実施形態では、歩行ユニット３の透水性の歩行面を、それ自体で透水性を備えた踏み板３ｂを用いて構成した場合を示したが、踏み板３ｂそれ自体に透水性が備えられている必要はなく、要は、雨水等が踏み板を越えて下の貯水トレー内に貯水されるように構成されていればよい。
【００２８】
更に、上記の実施形態では、貯水トレイ３ａと植栽ユニット２とをパイプ４で連通させて給水されるようにした場合を示したが、貯水トレイ３ａと植栽ユニット２とに不織布等の浸透性部材を渡して給水するようにしてもよい。
【００２９】
また、本発明の緑化システムは、建物の屋上の床面のほか、バルコニーの床面や、庭など、植物をじか植えできないような、緑化分野において言われる、いわゆる人工地盤上に設置して用いることができるものであることはいうまでもない。
【図面の簡単な説明】
【００３０】
【図１】図（イ）は実施形態の緑化システムを示す断面正面図、図（ロ）は植栽ユニットの断面正面図、図（ハ）は歩行ユニットの断面正面図である。
【図２】図（イ）〜図（ハ）はそれぞれ、緑化システムの各種例を示す断面正面図である。
【図３】図（イ）及び図（ロ）はそれぞれ、緑化システムの更に他の例を示す断面正面図である。
【図４】図（イ）〜図（ニ）はそれぞれ、緑化システムの更に他の例を示す平面図である。
【符号の説明】
【００３１】
１…緑化システム
２…植栽ユニット
３…歩行ユニット
３ａ…貯水トレイ
３ｂ…踏み板（透水性の歩行面）
５…植物
【図１】
2006094792.tif 000003
【図２】
2006094792.tif 000004
【図３】
2006094792.tif 000005
【図４】
2006094792.tif 000006